(57)【要約】【課題】  作業性がよく、安定したドレッシング状態を得ることができるドレッシング用ダイヤモンド工具の提供。【解決手段】  ドレッシング用ダイヤモンド工具１は、平端面Ｐ１ｄを有するドレッシング用ダイヤモンド１ｄを有するドレッシング用ダイヤモンド配置部１ａ、１ｂであって、ドレッシング用ダイヤモンド１ｄの平端面Ｐ１ｄが配置されるダイヤモンド配置面Ｐ１ａ４、Ｐ１ｂ４を有するドレッシング用ダイヤモンド配置部１ａ、１ｂを有し、ダイヤモンド配置面Ｐ１ａ４は、他のダイヤモンド配置面Ｐ１ｂ４のドレッシング対象物Ｄが配置される側に向かう法線Ｎ１ｂとは互いに交差しない前記ドレッシング対象物Ｄが配置される側に向かう法線Ｎ１ａを有すること、を特徴とする。これにより、作業性がよく、安定したドレッシング状態を得ることができる。【選択図】  図１
2020182990.tif 000002
【特許請求の範囲】
【請求項１】
ドレッシング対象物に対して相対的に移動しながら、前記ドレッシング対象物をドレッシングするためのドレッシング用ダイヤモンド工具であって、
平端面を有するドレッシング用ダイヤモンドを有するドレッシング用ダイヤモンド配置部であって、前記ドレッシング用ダイヤモンドの前記平端面が配置されるダイヤモンド配置面を有するドレッシング用ダイヤモンド配置部を、複数、有し、
前記ドレッシング用ダイヤモンド配置部は、
複数の前記ドレッシング用ダイヤモンドを有し、
前記ドレッシング用ダイヤモンドの前記平端面は、
前記ダイヤモンド配置面において、当該ドレッシング用ダイヤモンド工具の前記ドレッシング対象物に対する相対的な移動方向と交差する方向に沿って配置され、
前記ダイヤモンド配置面は、
他の前記ダイヤモンド配置面の前記ドレッシング対象物が配置される側に向かう法線とは互いに交差しない前記ドレッシング対象物が配置される側に向かう前記法線を有すること、
を特徴とするドレッシング用ダイヤモンド工具。
【請求項２】
請求項１に係るドレッシング用ダイヤモンド工具において、
前記ドレッシング用ダイヤモンドは、
耐摩耗方向が前記移動方向と交差する方向と同一方向となるように、前記ドレッシング用ダイヤモンド配置部に配置されること、
を特徴とするドレッシング用ダイヤモンド工具。
【請求項３】
請求項１、又は、請求項２に係るドレッシング用ダイヤモンド工具において、
前記ドレッシング用ダイヤモンド配置部は、
前記移動方向と交差する方向に傾斜した前記ダイヤモンド配置面を有すること、
を特徴とするドレッシング用ダイヤモンド工具。
【発明の詳細な説明】
【技術分野】
【０００１】
本発明は、ドレッシング用ダイヤモンド工具に関し、特に、複数のドレッシング用ダイヤモンド配置面を有するものに関する。
【背景技術】
【０００２】
従来のドレッシング用ダイヤモンド工具について、図１７に示す卓上式３頭ダイヤモンドドレッサ１００を用いて説明する。凹部形状の基台１０１の上部傾斜面に砥石の側面をドレッシングする単石ドレッサ１０４，１０５を保持する一組のブロック１０２部を有し、前記一組の単石ドレッサはこれら単石ドレッサの頭頂部の仮想延長線上が交差する角度αが９０〜１５０度であるように内側に傾斜してブロックに対象位置に、かつ単石ドレッサの頭頂部高さが摺動テ−ブル基準面に対し同じ高さとなるように設けられ、これらの砥石側面をドレッシングする一組の単石ドレッサ頭頂部間距離およびブロック凹部の幅は、ドレッシングされる砥石幅よりも大きく、かつ、前記ブロック部の一方１０２の側面に砥石外周面をドレッシングする単石ドレッサ１０６を保持するブロック部１０７を設けてなり、この単石ドレッサ頭頂部の摺動テ−ブル基準面に対する高さは、前記砥石側面をドレッシングする単石ドレッサの頭頂部高さと同一か若干高くした。これにより、卓上ドレッサによる砥石のドレッシング成形速度をより短時間で済ませる（以上、特許文献１参照）。
【０００３】
従来のドレッシング用ダイヤモンド工具について、図１８に示すブレード形ドレッサ１０を用いて説明する。ブレード形ドレッサ１０では、その端面がドレッシング面１６において同一面となるように露出した状態で金属製本体に埋設されていることから、ドレッシングに際して柱状ダイヤモンド１８の先端が回転中の研削砥石２２に接触させられても、柱状ダイヤモンド１８の欠損や折損が防止される。このため、その柱状ダイヤモンド１８の欠損や折損に起因する耐久性の低下やドレッシング性能の不安定が好適に抑制される。また、端面がドレッシング面１６と同一面となるように柱状ダイヤモンド１８が金属製本体に埋設されていることから、当初から金属製本体が研削砥石に接触しているので、ドレッシング条件の変化に起因する研削砥石の研削面精度やその研削砥石の研削加工精度のばらつきが解消され、安定したドレッシング性能が得られる。これにより、安定したドレッシング性能と耐久性とを備えたダイヤモンドドレッサを提供する（以上、特許文献２参照）。
【先行技術文献】
【特許文献】
【０００４】
【特許文献１】特開２００２−３０７３０７号公報
【特許文献２】特開平７−２４７２９号公報
【発明の概要】
【発明が解決しようとする課題】
【０００５】
前述の卓上式３頭ダイヤモンドドレッサ１００には、以下に示すような改善すべき点がある。卓上式３頭ダイヤモンドドレッサ１００では、単石ドレッサ１０４、１０５を用いている。単石ドレッサ１０４、１０５は、使用に従い、先端が磨耗し、形状が変化する。このため、ドレッシング対象物と単石ドレッサ１０４、１０５との接触面積が変化し、安定したドレッシング状態を得ることが難しい、という改善すべき点がある。また、単石ドレッサ１０４、１０５では、欠損や折損が生じやすい、という改善すべき点がある。
【０００６】
また、単石ドレッサの頭頂部の仮想延長線上が交差する角度αが９０〜１５０度であるように内側に傾斜して配置されているため、下方向への砥石３の移動量が限定され、作業性が悪い、という改善すべき点がある。
【０００７】
一方、前述のブレード形ドレッサ１０には、以下に示すような改善すべき点がある。ブレード形ドレッサ１０では、ドレッシング対象物の面にドレッシング面１６を合わせる必要がある。このため、ドレッシング対象物の面の向きごとに、ドレッシング面１６の位置を調整し、ブレード形ドレッサ１０の取り付け位置を付け替える必要があり、作業性が悪い、という改善すべき点がある。
【０００８】
そこで、本発明は、作業性がよく、安定したドレッシング状態を得ることができるドレッシング用ダイヤモンド工具を提供することを目的とする。
【発明の効果】
【０００９】
本発明における課題を解決するための手段及び発明の効果を以下に示す。
【００１０】
本発明に係るドレッシング用ダイヤモンド工具は、ドレッシング対象物に対して相対的に移動しながら、前記ドレッシング対象物をドレッシングするためのドレッシング用ダイヤモンド工具であって、平端面を有するドレッシング用ダイヤモンドを有するドレッシング用ダイヤモンド配置部であって、前記ドレッシング用ダイヤモンドの前記平端面が配置されるダイヤモンド配置面を有するドレッシング用ダイヤモンド配置部を、複数、有し、前記ドレッシング用ダイヤモンド配置部は、複数の前記ドレッシング用ダイヤモンドを有し、前記ドレッシング用ダイヤモンドの前記平端面は、前記ダイヤモンド配置面において、当該ドレッシング用ダイヤモンド工具の前記ドレッシング対象物に対する相対的な移動方向と交差する方向に沿って配置され、前記ダイヤモンド配置面は、他の前記ダイヤモンド配置面の前記ドレッシング対象物が配置される側に向かう法線とは互いに交差しない前記ドレッシング対象物が配置される側に向かう前記法線を有すること、を特徴とする。
【００１１】
これにより、ドレッシング用ダイヤモンド工具は、ドレッシング対象物に対して制限なく相対的に移動できるため、作業性よく、広い領域をドレッシングできる。
【００１２】
本発明に係るドレッシング用ダイヤモンド工具では、前記ドレッシング用ダイヤモンドは、耐摩耗方向が前記移動方向と交差する方向と同一方向となるように、前記ドレッシング用ダイヤモンド配置部に配置されること、を特徴とする。
【００１３】
これにより、長期間、ドレッシング用ダイヤモンドを安定した状態で使用できる。
【００１４】
本発明に係るドレッシング用ダイヤモンド工具では、前記ドレッシング用ダイヤモンド配置部は、前記移動方向と交差する方向に傾斜した前記ダイヤモンド配置面を有すること、を特徴とする。
【００１５】
これにより、一方向に回転しているドレッシング対象物であっても、安定した状態でドレッシングすることができる。
【図面の簡単な説明】
【００１６】
【図１】本発明に係るドレッシング用ダイヤモンド工具の一実施例であるドレッシング用ダイヤモンド工具１を示す斜視図である。
【図２】ドレッシング用ダイヤモンド工具１の正面図である。
【図３】ドレッシング用ダイヤモンド工具１の背面図である。
【図４】ドレッシング用ダイヤモンド工具１の平面図である。
【図５】ドレッシング用ダイヤモンド工具１の底面図である。
【図６】ドレッシング用ダイヤモンド工具１の右側面図である。
【図７】ドレッシング用ダイヤモンド工具１の左側面図である。
【図８】図１に係るドレッシング用ダイヤモンド工具１から第２ドレッシング用ダイヤモンド配置部１ｂを取り除いた状態を示す図である。
【図９】図８に係るドレッシング用ダイヤモンド工具１の第１ドレッシング用ダイヤモンド配置部１ａの断面を示す図である。
【図１０】ダイヤモンド配置面Ｐ１ａ４の平面図である。
【図１１】ドレッシング用ダイヤモンド工具１の使用方法を示す図である。
【図１２】ドレッシング用ダイヤモンド工具１の使用方法を示す図である。
【図１３】本発明に係るドレッシング用ダイヤモンド工具のその他の実施例を示す図である。
【図１４】本発明に係るドレッシング用ダイヤモンド工具のその他の実施例を示す図である。
【図１５】本発明に係るドレッシング用ダイヤモンド工具のその他の実施例を示す図である。
【図１６】本発明に係るドレッシング用ダイヤモンド工具のその他の実施例を示す図である。
【図１７】従来のドレッシング用ダイヤモンド工具を示す図である。
【図１８】従来のドレッシング用ダイヤモンド工具を示す図である。
【発明を実施するための形態】
【００１７】
以下、本発明の実施例について、図面を参照しながら詳細に説明していく。
【実施例１】
【００１８】
本発明に係るドレッシング用ダイヤモンド工具についてドレッシング用ダイヤモンド工具１を例に説明する。ドレッシング用ダイヤモンド工具１は、円筒研削装置等において、研削加工等を行う砥石をドレッシング対象物として、円筒研削装置等の所定位置の取り付け、砥石に対して、機能を回復させるドレッシング加工を行う際に用いる工具である。
【００１９】
第１  構成
（１）全体構成
ドレッシング用ダイヤモンド工具１の構成について図１〜図７を用いて説明する。図１はドレッシング用ダイヤモンド工具１の斜視図を、図２はドレッシング用ダイヤモンド工具１の正面図を、図３はドレッシング用ダイヤモンド工具１の背面図を、図４はドレッシング用ダイヤモンド工具１の平面図を、図５はドレッシング用ダイヤモンド工具１の底面図を、図６はドレッシング用ダイヤモンド工具１の右側面図を、図７はドレッシング用ダイヤモンド工具１の左側面図を、それぞれ示す。
【００２０】
図１に示すように、ドレッシング用ダイヤモンド工具１は、ドレッシング部１Ｄ、及び、シャンク部１Ｓを有している。ドレッシング部１Ｄは、第１ドレッシング用ダイヤモンド配置部１ａ、第２ドレッシング用ダイヤモンド配置部１ｂ、及び、基礎部１ｃを有している。
【００２１】
シャンク部１Ｓは、円柱形状を有している（図２、図３、図５等参照）。シャンク部１Ｓは、ドレッシング対象物にドレッシング処理を行う際に、所定のホルダ等に固定される。シャンク部１Ｓは、図５に示すように、ドレッシング部１Ｄの基礎部１ｃの第１ドレッシング用ダイヤモンド配置部１ａ、第２ドレッシング用ダイヤモンド配置部１ｂが配置される側とは反対側の端面Ｐ１ｃに接続するように配置されている。
【００２２】
（２）ドレッシング部１Ｄの構成
図１から第２ドレッシング用ダイヤモンド配置部１ｂを取り除いた状態を図８に示す。第１ドレッシング用ダイヤモンド配置部１ａは、粉末冶金による焼結金属により形成されている。第１ドレッシング用ダイヤモンド配置部１ａは、五角柱形状を有している。第１ドレッシング用ダイヤモンド配置部１ａは、平行な２面Ｐ１ａ１、Ｐ１ａ２（図６参照）、傾斜接合面Ｐ１ａ３、ダイヤモンド配置面Ｐ１ａ４、傾斜面Ｐ１ａ５（図２参照）、及び、２つの端面Ｐ１ａ６、Ｐ１ａ７（図６、図７等参照）を有している。平行な２面Ｐ１ａ１、Ｐ１ａ２、傾斜接合面Ｐ１ａ３、ダイヤモンド配置面Ｐ１ａ４、及び、傾斜面Ｐ１ａ５は、矩形状を有している。また、２つの端面Ｐ１ａ６、Ｐ１ａ７は、五角形状を有している。なお、端面Ｐ１ａ６、Ｐ１ａ７の五角形状は、平行な２面Ｐ１ａ１、Ｐ１ａ２、傾斜接合面Ｐ１ａ３、ダイヤモンド配置面Ｐ１ａ４、及び、傾斜面Ｐ１ａ５の短辺によって形成される。
【００２３】
平行な２面Ｐ１ａ１、Ｐ１ａ２、傾斜接合面Ｐ１ａ３、ダイヤモンド配置面Ｐ１ａ４、傾斜面Ｐ１ａ５は、端面Ｐ１ａ６、Ｐ１ａ７に対して、垂直に位置する（図２、図３等参照）。傾斜接合面Ｐ１ａ３の端面Ｐ１ａ６、Ｐ１ａ７に接合しない２つの側縁のうちの一つに面Ｐ１ａ１が、他の一つにＰ１ａ２が、それぞれ連続して、位置する。平行な２面Ｐ１ａ１、Ｐ１ａ２のうち、基礎部１ｃが位置する側とは反対側に位置する面Ｐ１ａ１に連続して、ダイヤモンド配置面Ｐ１ａ４が位置する。また、ダイヤモンド配置面Ｐ１ａ４に連続して、傾斜面Ｐ１ａ５が位置し、面Ｐ１ａ２に接続する。
【００２４】
図８に示すように、第１ドレッシング用ダイヤモンド配置部１ａは、傾斜接合面Ｐ１ａ３が、シャンク部１Ｓの軸Ｊ１Ｓに沿うように、基礎部１ｃに配置される。また、図２に示すように、第１ドレッシング用ダイヤモンド配置部１ａは、端面Ｐ１ａ６から端面Ｐ１ａ７に向かって、０度〜２５度の間で所定角度だけ、下がりながら傾斜するように配置されている。なお、ドレッシング対象物が所定の軸を中心に回転する場合には、傾斜上流側の端面Ｐ１ａ７が、ドレッシング対象物の回転上流側に位置するように、ドレッシング用ダイヤモンド工具１が配置される（図１１参照）
【００２５】
図２に示すように、ダイヤモンド配置面Ｐ１ａ４には、端面Ｐ１ａ６から端面Ｐ１ａ７に向かう方向Ｍ３ａ、つまり、矩形状のダイヤモンド配置面Ｐ１ａ４の長辺に沿う方向に沿って、ドレッシング用ダイヤモンド１ｄが、複数、所定間隔で直線上に配置されている。ドレッシング用ダイヤモンド１ｄは、粉末冶金による焼結金属の焼結時に埋め込み固定することによって、第１ドレッシング用ダイヤモンド配置部１ａに配置される。
【００２６】
なお、図１に示すように、ダイヤモンド配置面Ｐ１ａ４内において、端面Ｐ１ａ６から端面Ｐ１ａ７に向かう方向Ｍ３ａに垂直に交差する方向Ｍ１ａ、つまり、矩形状のダイヤモンド配置面Ｐ１ａ４の短辺に沿って、ダイヤモンド工具１は移動する。ダイヤモンド工具１の移動については、後述する。
【００２７】
ドレッシング用ダイヤモンド１ｄは、平端面Ｐ１ｄが矩形状の柱形状を有している。なお、ドレッシング用ダイヤモンド１ｄは、合成ダイヤモンドにより形成され、結晶構造に起因する耐磨耗方向を有している。なお、合成ダイヤモンドは、合成単結晶、合成多結晶、焼結ダイヤモンド等を使用する。合成ダイヤモンドを使用することにより、安定した供給を確保できる。
【００２８】
図９に、図８の第１ドレッシング用ダイヤモンド配置部１ａの断面を示す。図９に示すように、ドレッシング用ダイヤモンド１ｄは、平端面Ｐ１ｄが、ダイヤモンド配置面Ｐ１ａ４内に位置するように、第１ドレッシング用ダイヤモンド配置部１ａに埋設される。図１０に示すように、ドレッシング用ダイヤモンド１ｄは、矩形状を有し、各辺が、ダイヤモンド配置面Ｐ１ａ４の長辺、短辺に沿うように配置される。また、ドレッシング用ダイヤモンド１ｄは、耐摩耗方向Ａ１ｄが、ダイヤモンド配置面Ｐ１ａ４内において、ダイヤモンド配置面Ｐ１ａ４の長辺に沿う方向Ｍ３ａ、つまり、ドレッシング用ダイヤモンド工具１の移動方向Ｍ１ａに垂直に交差する方向Ｍ３ａに沿うように、配置される。これにより、ドレッシング用ダイヤモンド工具１の耐久性を高めることができる。
【００２９】
ドレッシング用ダイヤモンド１ｄは、平端面Ｐ１ｄがダイヤモンド配置面Ｐ１ａ４に含まれるように、第１ドレッシング用ダイヤモンド配置部１ａに配置されるため、ドレッシング用ダイヤモンド１ｄの欠損や折損を防止できる。また、ドレッシング用ダイヤモンド１ｄの平端面Ｐ１ｄとドレッシング対象物との接触関係が変化しないため、ドレッシング精度のばらつきを防止できる。
【００３０】
第２ドレッシング用ダイヤモンド配置部１ｂについても、第１ドレッシング用ダイヤモンド配置部１ａと同様である。
【００３１】
第１ドレッシング用ダイヤモンド配置部１ａと第２ドレッシング用ダイヤモンド配置部１ｂとは、それぞれの傾斜接合面Ｐ１ａ３、Ｐ１ｂ３が合わさるように接合される。つまり、図６、図７に示すように、第１ドレッシング用ダイヤモンド配置部１ａと第２ドレッシング用ダイヤモンド配置部１ｂとは、端面形状がＶ字形状となるように接合される。なお、第１ドレッシング用ダイヤモンド配置部１ａと第２ドレッシング用ダイヤモンド配置部１ｂとは、銀ローを用いて接合される。
【００３２】
このとき、ドレッシング用ダイヤモンド１ｄが配置される各ダイヤモンド配置面Ｐ１ａ４、Ｐ１ｂ４のドレッシング対象物が配置される側に向かう法線Ｎ１ａ、Ｎ１ｂが、互いに交差しないように位置する。つまり、各ダイヤモンド配置面Ｐ１ａ４、Ｐ１ｂ４が、それぞれ、外側に向かって開いて位置する。これにより、ドレッシング用ダイヤモンド工具１は、ドレッシング対象物に対して制限なく相対的に移動できるため、作業性よく、広い領域をドレッシングできる。
【００３３】
基礎部１ｃは、接合された第１ドレッシング用ダイヤモンド配置部１ａ、第２ドレッシング用ダイヤモンド配置部１ｂの、ドレッシング用ダイヤモンド１ｄが位置する側とは反対側の端部、つまり、Ｖ字状の先端部と接合され、接合された第１ドレッシング用ダイヤモンド配置部１ａ、第２ドレッシング用ダイヤモンド配置部１ｂを支持する。基礎部１ｃは、鋼材により形成されている。なお、基礎部１ｃと接合された第１ドレッシング用ダイヤモンド配置部１ａ、第２ドレッシング用ダイヤモンド配置部１ｂとは、銀ローを用いて接合される。
【００３４】
第２  ドレッシング用ダイヤモンド工具１の使用方法
ドレッシング用ダイヤモンド工具１の使用方法について、図１１を用いて説明する。ドレッシング用ダイヤモンド工具１は、２つのダイヤモンド配置面Ｐ１ａ４、Ｐ１ｂ４を有している。ドレッシング用ダイヤモンド工具１の異なる２面、ダイヤモンド配置面Ｐ１ａ４、Ｐ１ｂ４を用いて、ドレッシング対象物の異なる２面をドレッシングできる。このように、複数の面を用いてドレッシング対象物をドレッシングできるので、ドレッシング用ダイヤモンド工具１の耐久性を高めることができる。
【００３５】
図１１に示すように、ドレッシング対象物Ｄが、回転軸ＪＤを中心に回転方向Ｒに向かって回転する砥石である場合、ドレッシング対象物Ｄを回転させながら、ドレッシング用ダイヤモンド工具１のダイヤモンド配置面Ｐ１ｂ４（図３参照）が、ドレッシング対象物Ｄのドレッシング面ＰＤｂに沿うように、ドレッシング用ダイヤモンド工具１を配置する。
【００３６】
そして、ドレッシング用ダイヤモンド工具１をドレッシング対象物Ｄに対して相対的に移動させながら、例えば、ドレッシング対象物Ｄの位置が固定されている場合はドレッシング用ダイヤモンド工具１を移動させる。これにより、ドレッシング用ダイヤモンド工具１のダイヤモンド配置面Ｐ１ｂ４に配置されているドレッシング用ダイヤモンド１ｄによって、ドレッシング対象物Ｄのドレッシング面ＰＤｂをドレッシングする。
【００３７】
なお、ドレッシング用ダイヤモンド工具１は、図１、図３に示すように、ダイヤモンド配置面Ｐ１ｂ４内において、端面Ｐ１ｂ６から端面Ｐ１ｂ７に向かう方向Ｍ３ｂに垂直な方向Ｍ１ｂを、ダイヤモンド配置面Ｐ１ｂ４でのドレッシング処理の際におけるドレッシング用ダイヤモンド工具１のドレッシング対象物に対する相対的移動方向として、移動する。
【００３８】
図１２に示すように、ドレッシング面ＰＤｂのドレッシングが終了すると、ドレッシング用ダイヤモンド工具１のダイヤモンド配置面Ｐ１ａ４が、ドレッシング対象物Ｄのドレッシング面ＰＤaに沿うように、ドレッシング用ダイヤモンド工具１を配置する。そして、相対的移動方向Ｍ１ｂと同様の相対的移動方向Ｍ１ａに沿って、ドレッシング用ダイヤモンド工具１をドレッシング対象物Ｄに対して移動させる。これにより、ドレッシング用ダイヤモンド工具１のダイヤモンド配置面Ｐ１ａ４に配置されているドレッシング用ダイヤモンド１ｄによって、ドレッシング対象物Ｄのドレッシング面ＰＤaをドレッシングする。
【００３９】
このように、ドレッシング用ダイヤモンド工具１は、ドレッシング対象物Ｄに対して制限なく相対的に移動できるため、作業性よく、広い領域をドレッシングできる。
【００４０】
［その他の実施形態］
（１）第１ドレッシング用ダイヤモンド配置部１ａの端面Ｐ１ａ６、端面Ｐ１ａ７間の傾斜角度：前述の実施例１においては、第１ドレッシング用ダイヤモンド配置部１ａを、端面Ｐ１ａ６から端面Ｐ１ａ７に向かう方向Ｍ３ａに向かって傾斜させるとしたが、図１３に示すドレッシング用ダイヤモンド工具２の第１ドレッシング用ダイヤモンド配置部２ａのように、端面Ｐ１ａ６から端面Ｐ１ａ７に向かう方向に、傾斜させないようにしてもよい。ドレッシング用ダイヤモンド工具２は、たとえば、平面研削装置におけるドレッシング処理に用いることができる。なお、図１３に示すドレッシング用ダイヤモンド工具２では、ドレッシング用ダイヤモンド工具１と同様の構成については、同様の符号を付している。
【００４１】
（２）第１ドレッシング用ダイヤモンド配置部１ａと第２ドレッシング用ダイヤモンド配置部１ｂの位置関係：前述の実施例１においては、第１ドレッシング用ダイヤモンド配置部１ａと第２ドレッシング用ダイヤモンド配置部１ｂとを、シャンク部１Ｓの軸Ｊ１Ｓを中心に対象に配置したが、例示のものに限定されない。例えば、図１４に示すドレッシング用ダイヤモンド工具３のように、第１ドレッシング用ダイヤモンド配置部３ａを軸Ｊ１Ｓ方向に、第２ドレッシング用ダイヤモンド配置部３ｂを軸Ｊ１Ｓから所定角度だけ傾けた方向に配置するようにしてもよい。なお、図１４に示すドレッシング用ダイヤモンド工具３では、ドレッシング用ダイヤモンド工具１と同様の構成については、同様の符号を付している。
【００４２】
（３）ドレッシング用ダイヤモンド配置部の数：前述の実施例１においては、第１ドレッシング用ダイヤモンド配置部１ａ、及び、第２ドレッシング用ダイヤモンド配置部１ｂの２つのドレッシング用ダイヤモンド配置部を有するとしたが、複数であれば、例示のものに限定されない。例えば、図１５に示すドレッシング用ダイヤモンド工具４のように、第１ドレッシング用ダイヤモンド配置部４ａ、第２ドレッシング用ダイヤモンド配置部４ｂ、第３ドレッシング用ダイヤモンド配置部４ｃの３つ以上のドレッシング用ダイヤモンド配置部を配置するようにしてもよい。なお、図１５に示すドレッシング用ダイヤモンド工具４では、ドレッシング用ダイヤモンド工具１と同様の構成については、同様の符号を付している。
【００４３】
（４）第１ドレッシング用ダイヤモンド配置部１ａと第２ドレッシング用ダイヤモンド配置部１ｂとの接合：前述の実施例１においては、第１ドレッシング用ダイヤモンド配置部１ａと第２ドレッシング用ダイヤモンド配置部１ｂとを、互いの傾斜接合面Ｐ１ａ３、Ｐ１ｂ３を接合することにより一体としたが、もともと第１ドレッシング用ダイヤモンド配置部１ａと第２ドレッシング用ダイヤモンド配置部１ｂとを一体として形成するようにしてもよい。
【００４４】
（５）ドレッシング用ダイヤモンド１ｄ：前述の実施例１においては、ドレッシング用ダイヤモンド１ｄを、粉末冶金による焼結金属の焼結時に埋め込みによって固定したが、例えば、ドレッシング用ダイヤモンド１ｄを焼結金属や電気的に析出させたニッケルメッキ層によって固定する等、他の方法によって固定するようにしてもよい。
【００４５】
（６）ドレッシング用ダイヤモンド１ｄの形状：前述の実施例１においては、ドレッシング用ダイヤモンド１ｄは、端面矩形状としたが、円形や三角形、五角形以上の多角形であってもよい。
【００４６】
（７）ドレッシング用ダイヤモンド１ｄの数：前述の実施例１においては、第１ドレッシング用ダイヤモンド配置部１ａ、第２ドレッシング用ダイヤモンド配置部１ｂのそれぞれにドレッシング用ダイヤモンド１ｄを３つ配置するとしたが、２つや４つ以上を配置するようにしてもよい。
【００４７】
（８）ドレッシング用ダイヤモンド１ｄの配置方向：前述の実施例１においては、ドレッシング用ダイヤモンド１ｄの平端面Ｐ１ｄは、第１ドレッシング用ダイヤモンド配置部１ａにおいては、矩形状のダイヤモンド配置面Ｐ１ａ４の長辺に沿う方向、つまり、ドレッシング用ダイヤモンド工具１のドレッシング対象物に対する相対的な移動方向に沿う短辺に垂直に交差する方向に沿って、直線上に配置されるとしたが、ドレッシング用ダイヤモンド工具１のドレッシング対象物に対する相対的な移動方向に交差する方向であれば、例示のものに限定されない。例えば、図１６Ａに示すドレッシング用ダイヤモンドのダイヤモンド配置面Ｐ５ａ４ように、ドレッシング用ダイヤモンド１ｄを、ダイヤモンド配置面Ｐ５ａ４内において、ドレッシング用ダイヤモンド工具１のドレッシング対象物に対する相対的な移動方向Ｍ１ａに沿う短辺に対して所定角度θで交差する方向Ｍ３ａ’に沿って、配置するようにしてもよい。
【００４８】
（９）ドレッシング用ダイヤモンド１ｄの配向方向：前述の実施例１においては、ドレッシング用ダイヤモンド１ｄは、矩形状を有し、各辺が、ダイヤモンド配置面Ｐ１ａ４の長辺、短辺に沿うように配置されていたが、ドレッシング用ダイヤモンド１ｄの耐摩耗方向Ａ１ｄが、ダイヤモンド配置面Ｐ１ａ４内において、ドレッシング用ダイヤモンド工具１移動方向Ｍ１ａに交差する方向Ｍ３ａに沿うように、配置されるものであれば、例示のものに限定されない。例えば、図１６Ｂに示すドレッシング用ダイヤモンドのように、耐摩耗方向Ａ７ｄが端面Ｐ７ｄの対角線方向と同一である場合、矩形状のレッシング用ダイヤモンドの端面Ｐ７ｄを、耐摩耗方向Ａ７ｄがドレッシング用ダイヤモンド工具１移動方向Ｍ１ａに交差する方向Ｍ３ａに沿うように、配置するようにしてもよい。
【００４９】
（９）シャンク部１Ｓの形状：前述の実施例１においては、シャンク部１Ｓは円柱形状としたが、所定のホルダに保持できる形状であれば、つまり、ホルダの形状に合う形状であれば、例示のものに限定されない。例えば、四角柱形状、多角柱形状等であってもよい。また、ドレッシング部１Ｄの位置決めのために、キー溝等を形成するようにしてもよい。
【産業上の利用可能性】
【００５０】
本発明に係るドレッシング用ダイヤモンド工具は、例えば、円筒研削盤におけるドレッシング装置として使用できる。
【符号の説明】
【００５１】
１      ドレッシング用ダイヤモンド工具
１Ｄ      ドレッシング部
１ａ      第１ドレッシング用ダイヤモンド配置部
Ｐ１ａ１      面
Ｐ１ａ２      面
Ｐ１ａ３      傾斜接合面
Ｐ１ａ４      ダイヤモンド配置面
Ｎ１ａ      法線
Ｐ１ａ５      傾斜面
Ｐ１ａ６      端面
Ｐ１ａ７      端面
Ｍ１ａ      相対的移動方向
Ｍ３ａ      方向
１ｂ      第２ドレッシング用ダイヤモンド配置部
Ｐ１ｂ４      ダイヤモンド配置面
Ｎ１ｂ      法線
Ｐ１ｂ６      端面
Ｐ１ｂ７      端面
Ｍ１ｂ      相対的移動方向
Ｍ３ｂ      方向
１ｃ      基礎部
Ｐ１ｃ      端面
１ｄ      ドレッシング用ダイヤモンド
Ｐ１ｄ      平端面
Ａ１ｄ      耐摩耗方向
１Ｓ      シャンク部
Ｊ１Ｓ      軸
２      ドレッシング用ダイヤモンド工具
２ａ      第１ドレッシング用ダイヤモンド配置部
３      ドレッシング用ダイヤモンド工具
３ａ      第１ドレッシング用ダイヤモンド配置部
３ｂ      第２ドレッシング用ダイヤモンド配置部
４      ドレッシング用ダイヤモンド工具
４ａ      第１ドレッシング用ダイヤモンド配置部
４ｂ      第２ドレッシング用ダイヤモンド配置部
４ｃ      第３１ドレッシング用ダイヤモンド配置部
Ｐ５ａ４      ダイヤモンド配置面
Ｐ７ｄ      端面
Ａ７ｄ      耐摩耗方向
Ｄ      ドレッシング対象物
ＰＤa      ドレッシング面
ＰＤｂ      ドレッシング面
ＪＤ      回転軸
【図１】
2020182990.tif 000003
【図２】
2020182990.tif 000004
【図３】
2020182990.tif 000005
【図４】
2020182990.tif 000006
【図５】
2020182990.tif 000007
【図６】
2020182990.tif 000008
【図７】
2020182990.tif 000009
【図８】
2020182990.tif 000010
【図９】
2020182990.tif 000011
【図１０】
2020182990.tif 000012
【図１１】
2020182990.tif 000013
【図１２】
2020182990.tif 000014
【図１３】
2020182990.tif 000015
【図１４】
2020182990.tif 000016
【図１５】
2020182990.tif 000017
【図１６】
2020182990.tif 000018
【図１７】
2020182990.tif 000019
【図１８】
2020182990.tif 000020